(57)【要約】【課題】回転操作を多くしなくても制御パラメータを大きく変更可能にする。自動変更の速度を操作者が選択可能にする。【解決手段】操作者が操作部材（５）を押し込まずに回転させると、回転させた量に応じた度数だけ画像表示のための制御パラメータを変更する。操作者が操作部材（５）を押し込んだまま回転させると、回転させた量に応じた速度で画像表示のための制御パラメータを自動変更する。【効果】画像表示のための制御パラメータを調整する操作を容易・迅速に出来る。【選択図】図１
2010079587.tif 000002
【特許請求の範囲】
【請求項１】
操作者が操作部材を押し込んでいないときは操作部材が押込み方向の第１位置にあって該第１位置で操作者により操作部材を回転させることが出来ると共に操作者が操作部材を押し込んでいるときは操作部材が押込み方向の第２位置になり該第２位置でも操作者により操作部材を回転させることが出来るプッシュスイッチ付きロータリーエンコーダと、前記第１位置で操作者により操作部材が回転させられたときは回転量に応じた度数だけ制御パラメータを変更すると共に前記第２位置で操作者により操作部材が回転させられたときは回転量に応じて少なくとも２段階から選択される速度で前記制御パラメータを自動変更する制御部とを具備したことを特徴とする制御パラメータ調整装置。
【請求項２】
操作者が操作部材を押し込んでいないときは操作部材が押込み方向の第１位置にあって該第１位置で操作者により操作部材を回転させることが出来ると共に操作者が操作部材を押し込んでいるときは操作部材が押込み方向の第２位置になり該第２位置でも操作者により操作部材を回転させることが出来るプッシュスイッチ付きロータリーエンコーダと、制御パラメータ自動変更モード以外の所定のモードのときに操作者に前記操作部材が押し放されると制御パラメータ自動変更モードになり、この制御パラメータ自動変更モードで操作者により操作部材が回転させられたときは回転量に応じて少なくとも２段階から選択される速度で前記制御パラメータを自動変更し、前記制御パラメータ自動変更モードのときに操作者に前記操作部材が押し放されると制御パラメータ逐次変更モードになり、この制御パラメータ逐次変更モードで操作者により操作部材が回転させられたときは回転量に応じた度数だけ制御パラメータを変更する制御部とを具備したことを特徴とする制御パラメータ調整装置。
【請求項３】
画像を表示する画像表示器と、操作者が操作部材を押し込んでいないときは操作部材が押込み方向の第１位置にあって該第１位置で操作者により操作部材を回転させることが出来ると共に操作者が操作部材を押し込んでいるときは操作部材が押込み方向の第２位置になり該第２位置でも操作者により操作部材を回転させることが出来るプッシュスイッチ付きロータリーエンコーダと、前記第１位置で操作者により操作部材が回転させられたときは回転量に応じた度数だけ前記画像表示器での画像表示のための制御パラメータを変更すると共に前記第２位置で操作者により操作部材が回転させられたときは回転量に応じて少なくとも２段階から選択される速度で前記画像表示のための制御パラメータを自動変更する制御部とを具備したことを特徴とする画像表示装置。
【請求項４】
画像を表示する画像表示器と、操作者が操作部材を押し込んでいないときは操作部材が押込み方向の第１位置にあって該第１位置で操作者により操作部材を回転させることが出来ると共に操作者が操作部材を押し込んでいるときは操作部材が押込み方向の第２位置になり該第２位置でも操作者により操作部材を回転させることが出来るプッシュスイッチ付きロータリーエンコーダと、制御パラメータ自動変更モード以外の所定のモードのときに操作者に前記操作部材が押し放されると制御パラメータ自動変更モードになり、この制御パラメータ自動変更モードで操作者により操作部材が回転させられたときは回転量に応じて少なくとも２段階から選択される速度で前記画像表示器での画像表示のための制御パラメータを自動変更し、前記制御パラメータ自動変更モードのときに操作者に前記操作部材が押し放されると制御パラメータ逐次変更モードになり、この制御パラメータ逐次変更モードで操作者により操作部材が回転させられたときは回転量に応じた度数だけ前記画像表示のための制御パラメータを変更する制御部とを具備したことを特徴とする画像表示装置。
【請求項５】
請求項３または請求項４に記載の画像表示装置において、前記画像表示器が液晶画像表示器であり、前記画像表示のための制御パラメータがバックライト輝度を含むことを特徴とする画像表示装置。
【発明の詳細な説明】
【技術分野】
【０００１】
本発明は、制御パラメータ調整装置および画像表示装置に関し、さらに詳しくは、回転操作を多くしなくても制御パラメータを大きく変更することが出来ると共に自動変更の速度を操作者が選ぶことが出来る制御パラメータ調整装置および回転操作を多くしなくても画像表示のための制御パラメータを大きく変更することが出来ると共に自動変更の速度を操作者が選ぶことが出来る画像表示装置に関する。
【背景技術】
【０００２】
従来、プッシュスイッチを短く押すと例えば１分だけ時刻を変更し、プッシュスイッチを長く押すと例えば１秒間に２分ずつの速度で時刻を自動変更する時計が周知である。
また、ロータリーエンコーダとプッシュスイッチとを用いて画像表示のための制御パラメータを設定する電子機器が知られている（例えば、特許文献１参照。）。
他方、ロータリーエンコーダとプッシュスイッチの両方の機能を持ったスイッチが多数知られている（例えば、特許文献２参照。）。
【特許文献１】特開２００６−１１９３９６号公報
【特許文献２】特開２００５−１９７０７０号公報
【発明の開示】
【発明が解決しようとする課題】
【０００３】
上記従来の時計では、プッシュスイッチを長押しすることで時刻を自動変更することが出来たので、プッシュスイッチを多数回押さなくても時刻を大きく変更することが出来た。
しかし、操作者が自動変更の速度を選ぶことが出来なかったため、ある場合には自動変更の速度が遅すぎて感じられたり、また、ある場合には速すぎて感じられたりする問題点があった。
【０００４】
また、上記従来の電子機器では、ロータリーエンコーダの回転量に応じた度数だけ画像表示のための制御パラメータを変更しているので、制御パラメータを大きく変更するには回転操作を多くしなければならない問題点があった。
【０００５】
そこで、本発明の目的は、回転操作を多くしなくても制御パラメータを大きく変更することが出来ると共に自動変更の速度を操作者が選ぶことが出来る制御パラメータ調整装置および回転操作を多くしなくても画像表示のための制御パラメータを大きく変更することが出来ると共に自動変更の速度を操作者が選ぶことが出来る画像表示装置を提供することにある。
【課題を解決するための手段】
【０００６】
第１の観点では、本発明は、操作者が操作部材を押し込んでいないときは操作部材が押込み方向の第１位置にあって該第１位置で操作者により操作部材を回転させることが出来ると共に操作者が操作部材を押し込んだときは操作部材が押込み方向の第２位置になり該第２位置でも操作者により操作部材を回転させることが出来るプッシュスイッチ付きロータリーエンコーダと、前記第１位置で操作者により操作部材が回転させられたときは回転量に応じた度数だけ制御パラメータを変更すると共に前記第２位置で操作者により操作部材が回転させられたときは回転量に応じて少なくとも２段階から選択される速度で前記制御パラメータを自動変更する制御部とを具備したことを特徴とする制御パラメータ調整装置を提供する。
本発明において、制御パラメータとは、例えば、コントラスト，輝度，色相などの画像表示装置のための制御パラメータや、音量，左右バランス，トーンなどのオーディオ出力装置のための制御パラメータや、温度，風量，湿度などの空調装置のための制御パラメータなどが挙げられる。
上記第１の観点による制御パラメータ調整装置では、操作者が操作部材を押し込まずに回転させると、回転させた量に応じた度数だけ制御パラメータを変更することが出来る。そして、操作者が操作部材を押し込んだまま回転させると、回転させた量に応じた速度で制御パラメータを自動変更することが出来る。従って、後者の操作により、回転操作を多くしなくても制御パラメータを大きく変更することが出来ると共に自動変更の速度を操作者が選ぶことが出来る。なお、前者の操作により微調整も可能である。
【０００７】
第２の観点では、本発明は、操作者が操作部材を押し込んでいないときは操作部材が押込み方向の第１位置にあって該第１位置で操作者により操作部材を回転させることが出来ると共に操作者が操作部材を押し込んでいるときは操作部材が押込み方向の第２位置になり該第２位置でも操作者により操作部材を回転させることが出来るプッシュスイッチ付きロータリーエンコーダと、制御パラメータ自動変更モード以外の所定のモードのときに操作者に前記操作部材が押し放されると制御パラメータ自動変更モードになり、この制御パラメータ自動変更モードで操作者により操作部材が回転させられたときは回転量に応じて少なくとも２段階から選択される速度で前記制御パラメータを自動変更し、前記制御パラメータ自動変更モードのときに操作者に前記操作部材が押し放されると制御パラメータ逐次変更モードになり、この制御パラメータ逐次変更モードで操作者により操作部材が回転させられたときは回転量に応じた度数だけ制御パラメータを変更する制御部とを具備したことを特徴とする制御パラメータ調整装置を提供する。
上記第２の観点による制御パラメータ調整装置では、操作者が操作部材を押し放してから回転させると、回転させた量に応じた速度で制御パラメータを自動変更することが出来る。次に、操作者が操作部材を押し放してから回転させると、回転させた量に応じた度数だけ制御パラメータを変更することが出来る。従って、最初の操作により、回転操作を多くしなくても制御パラメータを大きく変更することが出来ると共に自動変更の速度を操作者が選ぶことが出来る。そして、次の操作により微調整が可能になる。
【０００８】
第３の観点では、本発明は、画像を表示する画像表示器と、操作者が操作部材を押し込んでいないときは操作部材が押込み方向の第１位置にあって該第１位置で操作者により操作部材を回転させることが出来ると共に操作者が操作部材を押し込んだときは操作部材が押込み方向の第２位置になり該第２位置でも操作者により操作部材を回転させることが出来るプッシュスイッチ付きロータリーエンコーダと、前記第１位置で操作者により操作部材が回転させられたときは回転量に応じた度数だけ前記画像表示器での画像表示のための制御パラメータを変更すると共に前記第２位置で操作者により操作部材が回転させられたときは回転量に応じて少なくとも２段階から選択される速度で前記制御パラメータを自動変更する制御部とを具備したことを特徴とする画像表示装置を提供する。
本発明において、画像表示のための制御パラメータとは、例えば、コントラスト，輝度，色相などが挙げられる。
上記第３の観点による画像表示装置では、操作者が操作部材を押し込まずに回転させると、回転させた量に応じた度数だけ画像表示のための制御パラメータを変更することが出来る。そして、操作者が操作部材を押し込んだまま回転させると、回転させた量に応じた速度で制御パラメータを自動変更することが出来る。従って、後者の操作により、回転操作を多くしなくても画像表示のための制御パラメータを大きく変更することが出来ると共に自動変更の速度を操作者が選ぶことが出来る。なお、前者の操作により微調整も可能である。
【０００９】
第４の観点では、本発明は、画像を表示する画像表示器と、操作者が操作部材を押し込んでいないときは操作部材が押込み方向の第１位置にあって該第１位置で操作者により操作部材を回転させることが出来ると共に操作者が操作部材を押し込んでいるときは操作部材が押込み方向の第２位置になり該第２位置でも操作者により操作部材を回転させることが出来るプッシュスイッチ付きロータリーエンコーダと、制御パラメータ自動変更モード以外の所定のモードのときに操作者に前記操作部材が押し放されると制御パラメータ自動変更モードになり、この制御パラメータ自動変更モードで操作者により操作部材が回転させられたときは回転量に応じて少なくとも２段階から選択される速度で前記画像表示器での画像表示のための制御パラメータを自動変更し、前記制御パラメータ自動変更モードのときに操作者に前記操作部材が押し放されると制御パラメータ逐次変更モードになり、この制御パラメータ逐次変更モードで操作者により操作部材が回転させられたときは回転量に応じた度数だけ前記画像表示のための制御パラメータを変更する制御部とを具備したことを特徴とする画像表示装置を提供する。
上記第４の観点による画像表示装置では、操作者が操作部材を押し放してから回転させると、回転させた量に応じた速度で画像表示のための制御パラメータを自動変更することが出来る。次に、操作者が操作部材を押し放してから回転させると、回転させた量に応じた度数だけ画像表示のための制御パラメータを変更することが出来る。従って、最初の操作により、回転操作を多くしなくても画像表示のための制御パラメータを大きく変更することが出来ると共に自動変更の速度を操作者が選ぶことが出来る。そして、次の操作により微調整が可能になる。
【００１０】
第５の観点では、本発明は、前記第３または第４の観点による画像表示装置において、前記画像表示器が液晶画像表示器であり、前記画像表示のための制御パラメータがバックライト輝度を含むことを特徴とする画像表示装置を提供する。
上記第５の観点による画像表示装置では、操作部材の回転量に応じた速度による自動変更により回転操作を多くしなくてもバックライト輝度を大きく変更することが出来ると共に自動変更の速度を操作者が選ぶことが出来る。また、操作部材の回転量に応じた度数による変更により微調整が可能になる。
【発明の効果】
【００１１】
本発明の制御パラメータ調整装置および画像表示装置によれば、回転操作を多くしなくても自動変更により制御パラメータを大きく変更することが出来る。また、その自動変更の速度を操作者が選ぶことが出来る。
【発明を実施するための最良の形態】
【００１２】
以下、図に示す実施の形態により本発明をさらに詳細に説明する。なお、これにより本発明が限定されるものではない。
【実施例１】
【００１３】
図１は、実施例１に係る液晶画像表示装置１を示す背面図である。また、図２は、同右側面図である。
この液晶画像表示装置１は、画像を表示する液晶画像表示器２と、液晶画像表示器２における画像表示を制御する制御部３と、プッシュスイッチ付きロータリーエンコーダ４を具備している。
【００１４】
プッシュスイッチ付きロータリーエンコーダ４は、操作円板５と、操作円板５の回転軸６とを具備している。操作者が操作円板５を回転軸６の周りに回転操作すると、ロータリーエンコーダが回転検出信号を出力する。また、操作者が操作円板５を回転軸６の軸方向に押し込んでいるとプッシュスイッチがオンになり、放すとオフに戻る。図１は、操作者が操作円板５を押し込んでいないときの操作円板５の位置すなわち第１位置を示しており、プッシュスイッチはオフになっている。図２は、操作者が操作円板５を押し込んでいるときの操作円板５の位置すなわち第２位置を示しており、プッシュスイッチはオンになっている。
【００１５】
図４は、液晶画像表示装置１の機能ブロック図である。
液晶画像表示器２は、液晶パネル２ａと、バックライト２ｂとを含んでいる。
制御部３は、ＣＰＵ３ａを含んでいる。
プッシュスイッチ付きロータリーエンコーダ４は、ロータリーエンコーダ部４ａと、プッシュスイッチ部４ｂとを含んでいる。
【００１６】
図５および図６は、実施例１に係る液晶画像表示装置１における画像表示のための制御パラメータ設定処理を示すフロー図である。この制御パラメータ設定処理は、液晶画像表示装置１の電源オンと共に起動される。
ステップＳ１では、ＣＰＵ３ａは、画像表示のための制御パラメータ設定モード以外のモードにおいて、操作者が操作円板５を押し放し操作（押し込んでから放す操作）したかプッシュスイッチ部４ｂをチェックし、押し放し操作がされるまで待機し、押し放し操作されたらステップＳ２へ進む。
【００１７】
ステップＳ２では、ＣＰＵ３ａは、画像表示のための制御パラメータ設定モードに入り、制御パラメータを設定するための設定メニューを液晶画像表示器２の画面に表示する。設定メニューでは、［Back Light］（＝バックライト輝度），［Contrast］（＝コントラスト），［Brightness］（＝輝度）など複数の設定項目の選択肢や［EXIT］（＝設定終了）の選択肢が一覧表示され、デフォルトで決められた選択肢の一つにカーソルが位置している。
【００１８】
ステップＳ３では、ＣＰＵ３ａは、操作者が操作円板５を押さずに回転操作したかロータリーエンコーダ部４ａをチェックし、押さずに回転操作されたらステップＳ４へ進み、押さずに回転操作されなかったらステップＳ５へ進む。
【００１９】
ステップＳ４では、ＣＰＵ３ａは、ロータリーエンコーダ部４ａをチェックして回転量を検出し、回転量に応じてカーソルを移動する。操作者は、カーソルを所望の選択肢に合わせる。
【００２０】
ステップＳ５では、ＣＰＵ３ａは、操作者が操作円板５を押し放し操作したかプッシュスイッチ部４ｂをチェックし、押し放し操作がされなかったらステップＳ６へ進み、押し放し操作されたらステップＳ９へ進む。
【００２１】
ステップＳ６では、ＣＰＵ３ａは、操作者が操作円板５を押したまま回転操作したかプッシュスイッチ部４ｂおよびロータリーエンコーダ部４ａをチェックし、押したまま回転操作がされなかったらステップＳ７へ進み、押したまま回転操作されたら図６のステップＲ９へ進む。
【００２２】
ステップＳ７では、ＣＰＵ３ａは、最後の操作から３０秒経過したかチェックし、３０秒経過してないならステップＳ３に戻り、３０秒経過したならステップＳ８へ進む。
【００２３】
ステップＳ８では、ＣＰＵ３ａは、設定メニューの表示を消して画像表示のための制御パラメータ設定モードに入る前のモードに戻し、ステップＳ１に戻る。
【００２４】
ステップＳ９では、ＣＰＵ３ａは、カーソルが合わされている選択肢が何かチェックする。
ステップＳ１０では、ＣＰＵ３ａは、カーソルが合わされている選択肢が［EXIT］ならステップＳ８へ進み、［EXIT］でないならステップＳ２０へ進む。
【００２５】
ステップＳ２０では、ＣＰＵ３ａは、カーソルが合わされている選択肢が［Back Light］ならステップＳ２１へ進み、［Back Light］でないならステップＳ４０へ進む。
【００２６】
ステップＳ２１では、ＣＰＵ３ａは、設定メニューを消し、現在のバックライト輝度値を例えばバーグラフおよび数字で液晶画像表示器２の画面に表示する。例えば、バックライト輝度値を０度から１００度まで調整可能であり、現在のバックライト輝度値が５２度なら、一定長のバーグラフを１００度に等分した片側の５２度分の領域を黄色で表示し、残りの４８度分の領域を青色で表示し、併せて、数字「５２」を表示する。
【００２７】
ステップＳ２２では、ＣＰＵ３ａは、操作者が操作円板５を押し放し操作したかプッシュスイッチ部４ｂをチェックし、押し放し操作がされたらステップＳ２３へ進み、押し放し操作されてなかったらステップＳ２４へ進む。
ステップＳ２３では、ＣＰＵ３ａは、現在のバックライト輝度値の表示を消す。そして、ステップＳ２に戻る。
【００２８】
ステップＳ２４では、ＣＰＵ３ａは、操作者が操作円板５を押し込んだ状態で回転操作したかプッシュスイッチ部４ｂおよびロータリーエンコーダ部４ａをチェックし、押したままでの回転操作がされたらステップＳ２５へ進み、押したままでの回転操作がされてなかったらステップＳ２８へ進む。
【００２９】
ステップＳ２５では、ＣＰＵ３ａは、押したままで回転操作がされた回転量に応じた速度でバックライト輝度を自動変更する。なお、ここでの回転量は、操作円板５が押された位置から操作円板５が回転して止まっている位置までの回転量である。回転方向と変更の増減とは対応させておく。例えば、回転方向が時計回りで回転量が５゜なら１秒間に２度だけバックライト輝度を自動増加させる。また、回転方向が時計回りで回転量が１０゜なら１秒間に４度だけバックライト輝度を自動増加させる。また、回転方向が時計回りで回転量が１５゜なら１秒間に６度だけバックライト輝度を自動増加させる。なお、回転円板５の回転５゜毎にクリック感を生じさせる節動機構を持たせておくと、５゜ずつの回転操作が容易になる。そして、ステップＳ２６に進む。
ステップＳ２６では、ＣＰＵ３ａは、操作者が操作円板５を押し込んだ状態を継続しているかプッシュスイッチ部４ｂをチェックし、押したままならステップＳ２５に戻り（自動変更を継続する）、放されたらステップＳ３２へ進む（自動変更は止まる）。
【００３０】
ステップＳ２８では、ＣＰＵ３ａは、操作者が操作円板５を押さずに回転操作したかプッシュスイッチ部４ｂおよびロータリーエンコーダ部４ａをチェックし、押さずに回転操作がされたらステップＳ２９へ進み、押さずに回転操作がされてなかったらステップＳ３２へ進む。
ステップＳ２９では、ＣＰＵ３ａは、押さずに回転操作がされた回転量に応じた度数だけバックライト輝度を変更する。ここでの回転量は、操作円板５が止まっている状態から回転し再び止まるまでを回転操作１回とするとき、１回の回転量である。また、回転方向と変更の増減とは対応させておく。例えば、回転方向が時計回りで回転量が５゜なら１度分だけバックライト輝度を増加させる。なお、回転円板５の回転５゜毎にクリック感（節動感）を生じさせる機構を持たせておくと、１度ずつ調整する操作が容易になる。そして、ステップＳ３２へ進む。
【００３１】
ステップＳ３２では、ＣＰＵ３ａは、最後の操作から３０秒経過したかチェックし、３０秒経過してないならステップＳ２２に戻り、３０秒経過したならステップＳ３３へ進む。
【００３２】
ステップＳ３３では、ＣＰＵ３ａは、現在のバックライト輝度値の表示を消して画像表示のための制御パラメータ設定モードに入る前のモードに戻し、ステップＳ１に戻る。
【００３３】
ステップＳ４０では、ＣＰＵ３ａは、カーソルが合わされている選択肢が［Contrast］なら、コントラストに関してステップＳ２１〜Ｓ３２と同様の処理を行う（図示省略）。［Contrast］でないならステップＳ６０へ進む。
【００３４】
ステップＳ６０では、ＣＰＵ３ａは、カーソルが合わされている選択肢が［Brightness］なら、輝度に関してステップＳ２１〜Ｓ３２と同様の処理を行う（図示省略）。［Brightness］でないなら他の設定項目の処理（図示省略）へ進む。
【００３５】
図６のステップＲ９では、ＣＰＵ３ａは、押し操作がされた時点でカーソルが合わされていた選択肢が何かチェックする。
ステップＲ１０では、ＣＰＵ３ａは、カーソルが合わされていた選択肢が［EXIT］なら図５のステップＳ８へ進み、［EXIT］でないならステップＲ２０へ進む。
【００３６】
ステップＲ２０では、ＣＰＵ３ａは、カーソルが合わされていた選択肢が［Back Light］ならステップＲ２１へ進み、［Back Light］でないならステップＲ４０へ進む。
【００３７】
ステップＲ２１では、ＣＰＵ３ａは、設定メニューを消し、現在のバックライト輝度値を例えばバーグラフおよび数字で液晶画像表示器２の画面に表示する。例えば、バックライト輝度値を０度から１００度まで調整可能であり、現在のバックライト輝度値が５２度なら、一定長のバーグラフを１００度に等分した片側の５２度分の領域を黄色で表示し、残りの４８度分の領域を青色で表示し、併せて、数字「５２」を表示する。そして、ステップＲ２５へ進む。
【００３８】
ステップＲ１７では、ＣＰＵ３ａは、押したままで回転操作がされた回転量に応じた速度でバックライト輝度を自動変更する。なお、ここでの回転量は、操作円板５が押された位置から操作円板５が回転して止まっている位置までの回転量である。回転方向と変更の増減とは対応させておく。例えば、回転方向が時計回りで回転量が５゜なら１秒間に２度だけバックライト輝度を自動増加させる。また、回転方向が時計回りで回転量が１０゜なら１秒間に４度だけバックライト輝度を自動増加させる。また、回転方向が時計回りで回転量が１５゜なら１秒間に６度だけバックライト輝度を自動増加させる。
ステップＲ２６では、ＣＰＵ３ａは、操作者が操作円板５を押し込んだ状態を継続しているかプッシュスイッチ部４ｂをチェックし、押したままならステップＲ２５に戻り（自動変更を継続する）、放されたら図５のステップＳ２２に戻る（自動変更は止まる）。
【００３９】
ステップＲ４０では、ＣＰＵ３ａは、カーソルが合わされている選択肢が［Contrast］なら、コントラストに関してステップＲ２１〜Ｓ２６と同様の処理を行う（図示省略）。［Contrast］でないならステップＲ６０へ進む。
【００４０】
ステップＲ６０では、ＣＰＵ３ａは、カーソルが合わされている選択肢が［Brightness］なら、輝度に関してステップＲ２１〜Ｒ２６と同様の処理を行う（図示省略）。［Brightness］でないなら他の設定項目の処理（図示省略）へ進む。
【００４１】
実施例１の画像表示装置１によれば、操作者が操作部材５を押し込まずに回転させると、回転させた量に応じた度数だけ画像表示のための制御パラメータを変更することが出来る。そして、操作者が操作部材５を押し込んだまま回転させると、回転させた量に応じた速度で画像表示のための制御パラメータを自動変更することが出来る。従って、後者の操作により、回転操作を多くしなくても画像表示のための制御パラメータを大きく変更することが出来ると共に自動変更の速度を操作者が選ぶことが出来る。なお、前者の操作により微調整も可能である。
【実施例２】
【００４２】
図１から図４は、実施例２でも同じである。
【００４３】
図７および図８は、実施例２に係る液晶画像表示装置１における画像表示のための制御パラメータ設定処理を示すフロー図である。この制御パラメータ設定処理は、液晶画像表示装置１の電源オンと共に起動される。
ステップＳ１では、ＣＰＵ３ａは、画像表示のための制御パラメータ設定モード以外のモードにおいて、操作者が操作円板５を押し放し操作（押し込んでから放す操作）したかプッシュスイッチ部４ｂをチェックし、押し放し操作がされるまで待機し、押し放し操作されたらステップＳ２へ進む。
【００４４】
ステップＳ２では、ＣＰＵ３ａは、画像表示のための制御パラメータ設定モードに入り、制御パラメータを設定するための設定メニューを液晶画像表示器２の画面に表示する。設定メニューでは、［Back Light］（＝バックライト輝度），［Contrast］（＝コントラスト），［Brightness］（＝輝度）など複数の設定項目の選択肢や［EXIT］（＝設定終了）の選択肢が一覧表示され、デフォルトで決められた選択肢の一つにカーソルが位置している。
【００４５】
ステップＳ３では、ＣＰＵ３ａは、操作者が操作円板５を押さずに回転操作したかロータリーエンコーダ部４ａをチェックし、押さずに回転操作されたらステップＳ４へ進み、押さずに回転操作されなかったらステップＳ５へ進む。
【００４６】
ステップＳ４では、ＣＰＵ３ａは、ロータリーエンコーダ部４ａをチェックして回転量を検出し、回転量に応じてカーソルを移動する。操作者は、カーソルを所望の選択肢に合わせる。
【００４７】
ステップＳ５では、ＣＰＵ３ａは、操作者が操作円板５を押し放し操作したかプッシュスイッチ部４ｂをチェックし、押し放し操作がされなかったらステップＳ７へ進み、押し放し操作されたらステップＳ９へ進む。
【００４８】
ステップＳ７では、ＣＰＵ３ａは、最後の操作から３０秒経過したかチェックし、３０秒経過してないならステップＳ３に戻り、３０秒経過したならステップＳ８へ進む。
【００４９】
ステップＳ８では、ＣＰＵ３ａは、設定メニューの表示を消して画像表示のための制御パラメータ設定モードに入る前のモードに戻し、ステップＳ１に戻る。
【００５０】
ステップＳ９では、ＣＰＵ３ａは、カーソルが合わされている選択肢が何かチェックする。
ステップＳ１０では、ＣＰＵ３ａは、カーソルが合わされている選択肢が［EXIT］ならステップＳ８へ進み、［EXIT］でないならステップＳ２０へ進む。
【００５１】
ステップＳ２０では、ＣＰＵ３ａは、カーソルが合わされている選択肢が［Back Light］ならステップＳ２１へ進み、［Back Light］でないならステップＳ４０へ進む。
【００５２】
ステップＳ２１では、ＣＰＵ３ａは、設定メニューを消し、現在のバックライト輝度値を例えばバーグラフおよび数字で液晶画像表示器２の画面に表示する。例えば、バックライト輝度値を０度から１００度まで調整可能であり、現在のバックライト輝度値が５２度なら、一定長のバーグラフを１００度に等分した片側の５２度分の領域を黄色で表示し、残りの４８度分の領域を青色で表示し、併せて、数字「５２」を表示する。
【００５３】
ステップＳ２２では、ＣＰＵ３ａは、操作者が操作円板５を押し放し操作したかプッシュスイッチ部４ｂをチェックし、押し放し操作がされたらステップＳ２３へ進み、押し放し操作されてなかったらステップＳ２４’へ進む。
ステップＳ２３では、ＣＰＵ３ａは、現在のバックライト輝度値の表示を消す。そして、ステップＳ２に戻る。
【００５４】
ステップＳ２４’では、ＣＰＵ３ａは、操作者が操作円板５を押さずに回転操作したかプッシュスイッチ部４ｂおよびロータリーエンコーダ部４ａをチェックし、押さずに回転操作がされたらステップＳ２５’へ進み、押さずに回転操作がされてなかったらステップＳ３２へ進む。
【００５５】
ステップＳ２５’では、ＣＰＵ３ａは、押さずに回転操作がされた回転量に応じた速度でバックライト輝度を自動変更する。なお、ここでの回転量は、最初に操作円板５が押されずに回転操作された位置から操作円板５が回転して止まっている位置までの回転量である。回転方向と変更の増減とは対応させておく。例えば、回転方向が時計回りで回転量が５゜なら１秒間に２度だけバックライト輝度を自動増加させる。また、回転方向が時計回りで回転量が１０゜なら１秒間に４度だけバックライト輝度を自動増加させる。また、回転方向が時計回りで回転量が１５゜なら１秒間に６度だけバックライト輝度を自動増加させる。なお、回転円板５の回転５゜毎にクリック感を生じさせる節動機構を持たせておくと、５゜ずつの回転操作が容易になる。そして、ステップＳ２６’に進む。
ステップＳ２６’では、ＣＰＵ３ａは、操作者が操作円板５を押し放し操作したかプッシュスイッチ部４ｂをチェックし、押し放し操作されてないならステップＳ２７へ進み（自動変更を継続する）、押し放し操作されたら図８のステップＳ２８へ進む（自動変更は止まる）。
【００５６】
ステップＳ２７では、ＣＰＵ３ａは、最後の操作から３０秒経過したかチェックし、３０秒経過してないならステップＳ２５に戻り、３０秒経過したならステップＳ３３へ進む
【００５７】
図８のステップＳ２８では、ＣＰＵ３ａは、操作者が操作円板５を押さずに回転操作したかプッシュスイッチ部４ｂおよびロータリーエンコーダ部４ａをチェックし、押さずに回転操作がされたらステップＳ２９へ進み、押さずに回転操作がされてなかったらステップＳ３０へ進む。
ステップＳ２９では、ＣＰＵ３ａは、押さずに回転操作がされた回転量に応じた度数だけバックライト輝度を変更する。ここでの回転量は、操作円板５が止まっている状態から回転し再び止まるまでを回転操作１回とするとき、１回の回転量である。また、回転方向と変更の増減とは対応させておく。例えば、回転方向が時計回りで回転量が５゜なら１度分だけバックライト輝度を増加させる。なお、回転円板５の回転５゜毎にクリック感（節動感）を生じさせる機構を持たせておくと、１度ずつ調整する操作が容易になる。そして、ステップＳ３０へ進む。
【００５８】
ステップＳ３０では、ＣＰＵ３ａは、操作者が操作円板５を押し放し操作したかプッシュスイッチ部４ｂをチェックし、押し放し操作されてないならステップＳ３１へ進み、押し放し操作されたら図７のステップＳ２３へ進む。
【００５９】
ステップＳ３１では、ＣＰＵ３ａは、最後の操作から３０秒経過したかチェックし、３０秒経過してないならステップＳ２８に戻り、３０秒経過したなら図７のステップＳ３３へ進む。
【００６０】
図７のステップＳ３２では、ＣＰＵ３ａは、最後の操作から３０秒経過したかチェックし、３０秒経過してないならステップＳ２２に戻り、３０秒経過したならステップＳ３３へ進む。
【００６１】
ステップＳ３３では、ＣＰＵ３ａは、現在のバックライト輝度値の表示を消して画像表示のための制御パラメータ設定モードに入る前のモードに戻し、ステップＳ１に戻る。
【００６２】
実施例２の画像表示装置によれば、最初に操作者が操作部材５を押し込まずに回転させると、回転させた量に応じた速度で画像表示のための制御パラメータを自動変更することが出来る。次に、操作者が操作部材５を押し放し操作し、さらに操作部材５を押し込まずに回転させると、回転させた量に応じた度数だけ画像表示のための制御パラメータを変更することが出来る。従って、最初に、回転操作を多くしなくても画像表示のための制御パラメータを大きく変更することが出来ると共に自動変更の速度を操作者が選ぶことが出来る。その後、微調整が可能になる。
【産業上の利用可能性】
【００６３】
本発明の制御パラメータ調整装置および画像表示装置は、液晶画像表示装置におけるバックライト輝度の調整などに利用できる。
【図面の簡単な説明】
【００６４】
【図１】実施例１に係る液晶画像表示装置を示す背面図（操作円板が第１位置のとき）である。
【図２】実施例１に係る液晶画像表示装置を示す右側面図である。
【図３】実施例１に係る液晶画像表示装置を示す背面図（操作円板が第２位置のとき）である。
【図４】実施例１に係る液晶画像表示装置を示す機能ブロック図である。
【図５】実施例１に係る液晶画像表示装置における画像表示のための制御パラメータ設定処理を示すフロー図である。
【図６】図５の続きのフロー図である。
【図７】実施例２に係る液晶画像表示装置における画像表示のための制御パラメータ設定処理を示すフロー図である。
【図８】図７の続きのフロー図である。
【符号の説明】
【００６５】
１                      画像表示装置
２                      液晶画像表示器
２ａ                    液晶パネル
２ｂ                    バックライト
３                      制御部
３ａ                    ＣＰＵ
４                      プッシュスイッチ付きロータリーエンコーダ
５                      操作円板
６                      回転軸
【図１】
2010079587.tif 000003
【図２】
2010079587.tif 000004
【図３】
2010079587.tif 000005
【図４】
2010079587.tif 000006
【図５】
2010079587.tif 000007
【図６】
2010079587.tif 000008
【図７】
2010079587.tif 000009
【図８】
2010079587.tif 000010